(57)【要約】【課題】  雨天時に雨水が入り込まない換気装置を提供する。【解決手段】  換気装置は、装置本体と開閉部材と湿度感応型アクチュエータ１とを備えている。このアクチュエータ１は、開閉部材に直接又は間接的に連結された作動子２２と、開閉部材が開き位置から閉じ位置に向かうように作動子を付勢するコイルスプリング２４（バイアス弾性体２４）と、一端が上記作動子２２に連結され、他端が装置本体に直接又は間接的に定位置で連結された湿度感応テープ２５（湿度感応条体）とを備えている。湿度感応テープ２５は、屋外の大気に常時連なるように配置されており、屋外の湿度が低い時には縮んだ状態にあり、これにより開閉部材が開き位置に維持されるように作動子２２の移動を抑止し、屋外からの雨水または湿気に触れた時には伸び、これにより作動子２２をコイルスプリング２４の力で動かして開閉部材を閉じ動作させる。【選択図】  図５
2008134011.tif 000002
【特許請求の範囲】
【請求項１】
屋内と屋外とを連通させる換気通路を有する装置本体と、この装置本体に移動可能に支持され換気通路を開閉する開閉部材とを備えた換気装置において、
（ア）上記開閉部材に直接又は間接的に連結された作動子と、
（イ）上記開閉部材が開き位置から閉じ位置に向かうように作動子を付勢するバイアス弾性体と、
（ウ）一端および他端が上記本体および上記作動子にそれぞれ直接又は間接的に連結されて、屋外の大気に常時連なるように配置され、上記バイアス弾性体に付勢される作動子の移動を抑止するとともに、湿度に応じて伸縮する湿度感応条体と、
を備え、上記湿度感応条体は、屋外の湿度が低い時には縮んだ状態にあり、これにより開閉部材が開き位置に維持されるように作動子の移動を抑止し、屋外からの雨水または湿気に触れた時には伸び、これにより上記作動子をバイアス弾性体の力で動かして開閉部材を閉じ動作させることを特徴とする換気装置。
【請求項２】
さらに上記湿度感応条体を屋外から隠すカバーを備え、このカバーには、屋外の大気に連なる連通口が形成されていることを特徴とする請求項１に記載の換気装置。
【請求項３】
上記カバーの下端部には排水口が形成されていることを特徴とする請求項２に記載の換気装置。
【請求項４】
上記開閉部材の開き位置と閉じ位置との間の移動範囲を設定する開き位置ストッパ手段と閉じ位置ストッパ手段を備えるとともに、連結部材用ストッパ手段を備え、
上記開き位置ストッパ手段は、上記開閉部材が開き位置から上記移動範囲を超えて移動するのを禁じ、上記閉じ位置ストッパ手段は、上記開閉部材が閉じ位置から上記移動範囲を超えて移動するのを禁じ、
上記湿度感応条体の作動子とは反対側の端には連結部材を介して過負荷吸収弾性体が連結され、
上記連結部材用ストッパ手段は、上記連結部材を係止して連結部材が過負荷吸収弾性体の弾性力により湿度感応条体を引っ張る方向に移動するのを禁じ、
上記連結部材が上記係止位置にある時の上記過負荷吸収弾性体の弾性力は、上記開閉部材が開き位置にあり開き位置ストッパ手段により移動を禁じられた状態での上記バイアス弾性体の弾性力より大きいことを特徴とする請求項１〜３のいずれかに記載の換気装置。
【請求項５】
上記開閉部材の開き位置と閉じ位置との間の移動範囲を設定する開き位置ストッパ手段と閉じ位置ストッパ手段を備え、
上記開き位置ストッパ手段は、上記開閉部材が開き位置から上記移動範囲を超えて移動するのを禁じ、上記閉じ位置ストッパ手段は、上記開閉部材が閉じ位置から上記移動範囲を超えて移動するのを禁じ、
上記作動子と本体との間には、湿度感応条体とともにこの湿度感応条体と連なる密着長のコイルスプリングからなる過負荷吸収弾性体が介在され、この過負荷吸収弾性体の初張力は、上記開閉部材が開き位置にあり開き位置ストッパ手段により移動を禁じられた状態でのバイアス弾性体の弾性力より大きいことを特徴とする請求項１〜３のいずれかに記載の換気装置。
【請求項６】
上記開閉部材の開き位置と閉じ位置との間の移動範囲を設定する開き位置ストッパ手段と閉じ位置ストッパ手段を備えるとともに、支持体用ストッパ手段を備え、
上記開き位置ストッパ手段は、上記開閉部材が開き位置から上記移動範囲を超えて移動するのを禁じ、上記閉じ位置ストッパ手段は、上記開閉部材が閉じ位置から上記移動範囲を超えて移動するのを禁じ、
上記湿度感応条体が中間部で少なくとも１回折り返され、湿度感応条体の折り返し部を支持する支持体に過負荷吸収弾性体が連結され、
上記支持体用ストッパ手段は、上記支持体を係止して支持体が過負荷吸収弾性体の弾性力により湿度感応条体を引っ張る方向に移動するのを禁じ、
上記支持体が上記係止位置にある時の上記過負荷吸収弾性体の弾性力は、上記開閉部材が開き位置にあり開き位置ストッパ手段により移動を禁じられた状態での上記バイアス弾性体の弾性力より大きいことを特徴とする請求項１〜３のいずれかに記載の換気装置。
【請求項７】
上記開閉部材の開き位置と閉じ位置との間の移動範囲を設定する開き位置ストッパ手段と閉じ位置ストッパ手段を備え、
上記開き位置ストッパ手段は、上記開閉部材が開き位置から上記移動範囲を超えて移動するのを禁じ、上記閉じ位置ストッパ手段は、上記開閉部材が閉じ位置から上記移動範囲を超えて移動するのを禁じ、
上記湿度感応条体が中間部で少なくとも１回折り返され、湿度感応条体の折り返し部を支持する支持体に過負荷吸収弾性体が連結され、
上記過負荷吸収弾性体は、密着長のコイルスプリングからなり、その初張力は、上記開閉部材が開き位置にあり開き位置ストッパ手段により移動を禁じられた状態でのバイアス弾性体の弾性力より大きいことを特徴とする請求項１〜３のいずれかに記載の換気装置。
【請求項８】
上記バイアス弾性体および上記過負荷吸収弾性体が、ともにコイルスプリングからなり、上記湿度感応条体および過負荷吸収弾性体が上記作動子を挟んで上記バイアス弾性体と反対方向に延び、これら湿度感応条体、過負荷吸収弾性体、バイアス弾性体、作動子がほぼ一直線上に配置されていることを特徴とする請求項４〜７のいずれかに記載の換気装置。
【請求項９】
上記作動子が直線的に細長く延び、上記バイアス弾性体としてのコイルスプリングが作動子と平行に配置され、上記湿度感応条体は、上記作動子への連結端から延びる部位が、上記コイルスプリングの反対側において作動子と平行に配置されていることを特徴とする請求項１〜７のいずれかに記載の換気装置。
【請求項１０】
上記装置本体が矩形のフレームを有し、上記開閉部材が、左右方向に水平に延びるとともに上下に並んで配置された複数の回動可能な羽根からなり、これら羽根がフレーム内において屋内寄りに配置され、
上記フレームの左右いずれか一方の壁の近傍において、上記作動子が上下方向に移動可能に配置され、この作動子と上記羽根がリンクを介して連結され、
上記バイアス弾性体としてのコイルスプリングは、上下方向に延びるとともに、作動子に対して屋内寄りに配置され、
上記カバーは内部空間を有するとともに、上記羽根より屋外側に配置され、
上記湿度感応条体は、一端が上記カバーに固定され、カバーの内部空間においてガイドに掛けられることにより折り返されて、カバーから導出され、さらに他のガイドに掛けられて上記作動子に連結され、この作動子への連結端と当該他のガイドとの間の部位が、上下方向に延びるとともに上記作動子より屋外側に配置されていることを特徴とする請求項２または３に記載の換気装置。
【請求項１１】
上記装置本体が、矩形をなすフレームと、このフレームに組み込まれるとともに複数の換気通路を形成してなるガラリ部とを有し、上記開閉部材がこのガラリ部の屋内側の面に沿って上下方向にスライド可能に配置された開閉板からなり、この開閉板にはガラリ部の換気通路に対応する通気口が形成され、上記カバーは内部空間を有して縦長に形成され、
上記カバーの内部空間には、上記作動子が上下方向に移動可能に収容されるとともに、バイアス弾性体としてのコイルスプリングと湿度感応条体が収容され、これら湿度感応条体、コイルスプリングが作動子を挟んで上下に延びてほぼ一直線上に配置されていることを特徴とする請求項２または３に記載の換気装置。
【請求項１２】
装置本体が横長をなすフレームと、このフレームに組み込まれた横長の仕切壁とを備え、この仕切壁には左右方向に並んだ多数の換気口が形成されており、これにより上記フレーム内にはこの換気口を通る換気通路が形成され、上記開閉部材が横長の開閉板からなり、
上記作動子、バイアス弾性体、湿度感応条体が上記仕切壁の屋外側に配置されていることを特徴とする請求項１に記載の換気装置。
【請求項１３】
上記フレームには上記仕切壁より屋外側において、横長の板形状のカバーが組み込まれ、このカバーと仕切壁との間の空間に、上記作動子、バイアス弾性体、湿度感応条体が収容され、上記カバーには上部に屋外と連通する連通口が形成され、下端部に排水口が形成されていることを特徴とする請求項１２に記載の換気装置。
【請求項１４】
上記仕切壁が上記フレームと別体をなす仕切板からなり、この仕切板には、上記開閉板がスライド可能に支持されるとともに、上記バイアス弾性体と上記湿度感応条体が連結されていることを特徴とする請求項１２または１３に記載の換気装置。
【請求項１５】
上記バイアス弾性体としてのコイルスプリングと湿度感応条体が、作動子を挟んで反対側に配置されるとともに左右方向に延びて直線上に配置されていることを特徴とする請求項１２〜１４のいずれかに記載の換気装置。
【請求項１６】
上記装置本体は上記仕切壁より屋内側に位置する屋内壁を有し、この屋内壁には他の換気口が形成され、この屋内壁と上記仕切壁との間には他の空間が形成され、当該他の空間には他の開閉板が配置され、上記装置本体には、当該他の開閉板に連結された手動操作部材が左右スライド可能に設けられ、この手動操作部材の操作により、当該他の開閉板が上記他の換気口を開閉することを特徴とする請求項１２〜１５のいずれかに記載の喚起装置。
【請求項１７】
上記装置本体には強制開き操作部材が回動可能に設けられ、この強制開き操作部材には、上記作動子を強制的に開き位置に移動させるカムが取り付けられていることを特徴とする請求項１２〜１６のいずれかに記載の換気装置。
【発明の詳細な説明】
【技術分野】
【０００１】
本発明は、屋外の天候ないしは湿度に応じて開閉を行う換気装置に関する。
【背景技術】
【０００２】
特許文献１に記載されているように、湿度感応型の換気装置は公知である。この換気装置は、室内空気に連通するように配置され、室内湿度に応じて開閉動作するようになっている。具体的には室内湿度が高い時にこれを感知して開き動作を行うことにより外気を導入するようになっている。
なお、特許文献１は湿度感応素子としてバイメタルを用いているが、特許文献２に記載されているように換気装置にナイロン（商品名）からなる湿度感応テープを用いることは公知である。
【特許文献１】特許第３８１３１４９号公報
【特許文献２】特開昭６２−１５４０１０号公報
【発明の開示】
【発明が解決しようとする課題】
【０００３】
しかし、特許文献１の湿度感応型換気装置では、雨が屋内に吹き込むことを阻止することができなかった。
【課題を解決するための手段】
【０００４】
上記課題を解決するため、本発明は、屋内と屋外とを連通させる換気通路を有する装置本体と、この装置本体に移動可能に支持され換気通路を開閉する開閉部材とを備えた換気装置において、
（ア）上記開閉部材に直接又は間接的に連結された作動子と、
（イ）上記開閉部材が開き位置から閉じ位置に向かうように作動子を付勢するバイアス弾性体と、
（ウ）一端および他端が上記本体および上記作動子にそれぞれ直接又は間接的に連結されて、屋外の大気に常時連なるように配置され、上記バイアス弾性体に付勢される作動子の移動を抑止するとともに、湿度に応じて伸縮する湿度感応条体と、
を備え、上記湿度感応条体は、屋外の湿度が低い時には縮んだ状態にあり、これにより開閉部材が開き位置に維持されるように作動子の移動を抑止し、屋外からの雨水または湿気に触れた時には伸び、これにより上記作動子をバイアス弾性体の力で動かして開閉部材を閉じ動作させることを特徴とする。
上記構成によれば、雨天の時に開閉部材を閉じ動作させることにより、換気装置の換気通路から雨水が屋内に入り込むのを阻止することができる。また、湿度感応条体の湿度に対する伸縮度を高くすれば、降雨直前の時のように屋外が高湿度の時にも換気通路を閉じることができるので、屋内に雨水や湿気が入り込むのをより一層確実に防止することができる。
【０００５】
好ましくは、さらに上記湿度感応条体を屋外から隠すカバーを備え、このカバーには、屋外の大気に連なる連通口が形成されている。これによれば、湿度感応条体が紫外線を受けるのを防止でき、耐久性を上げることができる。
さらに好ましくは、上記カバーの下端部には排水口が形成されている。これによれば、カバー内側に入り込んだ雨水の除去することができ、湿度感応条体は天気が回復したときに湿度低下に即座に応答して、開閉部材の開き動作を行うことができる。
【０００６】
好ましくは、上記開閉部材の開き位置と閉じ位置との間の移動範囲を設定する開き位置ストッパ手段と閉じ位置ストッパ手段を備えるとともに、連結部材用ストッパ手段を備え、上記開き位置ストッパ手段は、上記開閉部材が開き位置から上記移動範囲を超えて移動するのを禁じ、上記閉じ位置ストッパ手段は、上記開閉部材が閉じ位置から上記移動範囲を超えて移動するのを禁じ、上記湿度感応条体の作動子とは反対側の端には連結部材を介して過負荷吸収弾性体が連結され、上記連結部材用ストッパ手段は、上記連結部材を係止して連結部材が過負荷吸収弾性体の弾性力により湿度感応条体を引っ張る方向に移動するのを禁じ、上記連結部材が上記係止位置にある時の上記過負荷吸収弾性体の弾性力は、上記開閉部材が開き位置にあり開き位置ストッパ手段により移動を禁じられた状態での上記バイアス弾性体の弾性力より大きい。
この構成によれば、屋外湿度が低いときに湿度感応条体が縮んで開閉部材が閉じ位置に達した後、さらに湿度感応条体が収縮した時に、過負荷吸収弾性体の弾性変形を伴って連結部材が移動することにより、湿度感応条体の収縮を吸収できる、そのため、湿度感応条体に大きな負荷すなわち引張応力が作用するのを回避することができ、湿度感応条体の耐久性を高めることができる。
【０００７】
好ましくは、上記開閉部材の開き位置と閉じ位置との間の移動範囲を設定する開き位置ストッパ手段と閉じ位置ストッパ手段を備え、上記開き位置ストッパ手段は、上記開閉部材が開き位置から上記移動範囲を超えて移動するのを禁じ、上記閉じ位置ストッパ手段は、上記開閉部材が閉じ位置から上記移動範囲を超えて移動するのを禁じ、上記作動子と本体との間には、湿度感応条体とともにこの湿度感応条体と連なる密着長のコイルスプリングからなる過負荷吸収弾性体が介在され、この過負荷吸収弾性体の初張力は、上記開閉部材が開き位置にあり開き位置ストッパ手段により移動を禁じられた状態でのバイアス弾性体の弾性力より大きい。
この構成でも過負荷吸収弾性体の伸びにより、閉じ状態での湿度感応条体の収縮を吸収できる。
【０００８】
好ましくは、上記開閉部材の開き位置と閉じ位置との間の移動範囲を設定する開き位置ストッパ手段と閉じ位置ストッパ手段を備えるとともに、支持体用ストッパ手段を備え、
上記開き位置ストッパ手段は、上記開閉部材が開き位置から上記移動範囲を超えて移動するのを禁じ、上記閉じ位置ストッパ手段は、上記開閉部材が閉じ位置から上記移動範囲を超えて移動するのを禁じ、上記湿度感応条体が中間部で少なくとも１回折り返され、湿度感応条体の折り返し部を支持する支持体に過負荷吸収弾性体が連結され、上記支持体用ストッパ手段は、上記支持体を係止して支持体が過負荷吸収弾性体の弾性力により湿度感応条体を引っ張る方向に移動するのを禁じ、上記支持体が上記係止位置にある時の上記過負荷吸収弾性体の弾性力は、上記開閉部材が開き位置にあり開き位置ストッパ手段により移動を禁じられた状態での上記バイアス弾性体の弾性力より大きい。
この構成によれば、屋外湿度が低いときに湿度感応条体が縮んで開閉部材が閉じ位置に達した後、さらに湿度感応条体が収縮した時に、過負荷吸収弾性体の弾性変形を伴って支持体が移動することにより、湿度感応条体の収縮を吸収できる、そのため、湿度感応条体に大きな負荷すなわち引張応力が作用するのを回避することができ、湿度感応条体の耐久性を高めることができる。また、湿度感応条体を折り返したので限られたスペースにも拘わらず長くすることができ、応答性を高めることができる。
【０００９】
好ましくは、上記開閉部材の開き位置と閉じ位置との間の移動範囲を設定する開き位置ストッパ手段と閉じ位置ストッパ手段を備え、上記開き位置ストッパ手段は、上記開閉部材が開き位置から上記移動範囲を超えて移動するのを禁じ、上記閉じ位置ストッパ手段は、上記開閉部材が閉じ位置から上記移動範囲を超えて移動するのを禁じ、上記湿度感応条体が中間部で少なくとも１回折り返され、湿度感応条体の折り返し部を支持する支持体に過負荷吸収弾性体が連結され、上記過負荷吸収弾性体は、密着長のコイルスプリングからなり、その初張力は、上記開閉部材が開き位置にあり開き位置ストッパ手段により移動を禁じられた状態でのバイアス弾性体の弾性力より大きい。
この構成でも過負荷吸収弾性体の伸びにより、閉じ状態での湿度感応条体の収縮を吸収できる。
【００１０】
好ましくは、上記バイアス弾性体および上記過負荷吸収弾性体が、ともにコイルスプリングからなり、上記湿度感応条体および過負荷吸収弾性体が上記作動子を挟んで上記バイアス弾性体と反対方向に延び、これら湿度感応条体、過負荷吸収弾性体、バイアス弾性体、作動子がほぼ一直線上に配置されている。
これによれば、作動子、バイアス弾性体、湿度感応条体、過負荷吸収弾性体が細長いスペースに配置されるので、面的な広がりのあるスペースを確保できない場所に設置するのに好適である。
【００１１】
好ましくは、上記作動子が直線的に細長く延び、上記バイアス弾性体としてのコイルスプリングが作動子と平行に配置され、上記湿度感応条体は、上記作動子への連結端から延びる部位が、上記コイルスプリングの反対側において作動子と平行に配置されていることを特徴とする。これによれば、作動子、バイアス弾性体、湿度感応条体が面的な広がりを持って配置されるので、細長いスペースを確保できない場所に設置するのに好適である。
【００１２】
好ましくは、上記バイアス弾性体がコイルスプリングからなり、上記湿度感応条体と上記コイルスプリングが上記作動子を挟んで反対方向に延び、これら湿度感応条体、コイルスプリング、作動子がほぼ一直線上に配置されている。これによれば、作動子、バイアス弾性体、湿度感応条体が細長いスペースに配置されるので、面的な広がりのあるスペースを確保できない場所に設置するのに好適である。
【００１３】
本発明を例えば床下換気等に適用する場合には、上記装置本体が矩形のフレームを有し、上記開閉部材が、左右方向に水平に延びるとともに上下に並んで配置された複数の回動可能な羽根からなり、これら羽根がフレーム内において屋内寄りに配置され、上記フレームの左右いずれか一方の壁の近傍において、上記作動子が上下方向に移動可能に配置され、この作動子と上記羽根がリンクを介して連結され、上記バイアス弾性体としてのコイルスプリングは、上下方向に延びるとともに、作動子に対して屋内寄りに配置され、上記カバーは内部空間を有するとともに、上記羽根より屋外側に配置され、上記湿度感応条体は、一端が上記カバーに固定され、カバーの内部空間においてガイドに掛けられることにより折り返されて、カバーから導出され、さらに他のガイドに掛けられて上記作動子に連結され、この作動子への連結端と当該他のガイドとの間の部位が、上下方向に延びるとともに上記作動子より屋外側に配置されている。
これによれば、湿度感応条体を羽根の屋外側に配置したことにより、簡単な構成で屋外の雨水や湿気に確実に応答することができる。また、湿度感応条体を折り返したので限られたスペースにも拘わらず長くすることができ、応答性を高めることができる。
【００１４】
本発明をガラリ型換気装置に適用する場合には、上記装置本体が、矩形をなすフレームと、このフレームに組み込まれるとともに複数の換気通路を形成してなるガラリ部とを有し、上記開閉部材がこのガラリ部の屋内側の面に沿って上下方向にスライド可能に配置された開閉板からなり、この開閉板にはガラリ部の換気通路に対応する通気口が形成され、上記カバーは内部空間を有して縦長に形成され、上記カバーの内部空間には、上記作動子が上下方向に移動可能に収容されるとともに、バイアス弾性体としてのコイルスプリングと湿度感応条体が収容され、これら湿度感応条体、コイルスプリングが作動子を挟んで上下に延びてほぼ一直線上に配置されている。
これによれば、縦長のカバー内に作動子、湿度感応条体、コイルスプリングを組み込んで、装置本体に設置したので、通常の換気に大きな影響を与えずに湿度感応とすることができる。
【００１５】
本発明を例えばサッシ戸装着型の換気装置に適用する場合には、装置本体が横長をなすフレームと、このフレームに組み込まれた横長の仕切壁とを備え、この仕切壁には左右方向に並んだ多数の換気口が形成されており、これにより上記フレーム内にはこの換気口を通る換気通路が形成され、上記開閉部材が横長の開閉板からなり、上記作動子、バイアス弾性体、湿度感応条体が上記仕切壁の屋外側に配置されている。
この構成によれば、湿度感応条体等を屋外側に配置したので、簡単な構成で屋外の雨水や湿気に確実に応答することができる。
【００１６】
好ましくは、上記フレームには上記仕切壁より屋外側において、横長の板形状のカバーが組み込まれ、このカバーと仕切壁との間の空間に、上記作動子、バイアス弾性体、湿度感応条体が収容され、上記カバーには上部に屋外と連通する連通口が形成され、下端部に排水口が形成されている。これによれば、カバーにより湿度感応条体を紫外線から守り耐久性を高めることができる。また、排水口によりカバー内側に入り込んだ雨水の除去することができ、湿度感応条体は天気が回復したときに湿度低下に即座に応答して、開閉部材の開き動作を行うことができる。
【００１７】
好ましくは、上記仕切壁が上記フレームと別体をなす仕切板からなり、この仕切板には、上記開閉板がスライド可能に支持されるとともに、上記バイアス弾性体と上記湿度感応条体が連結されている。これによれば、仕切板に開閉板、作動子、バイアス弾性体、上記湿度感応条体を組み付けてからフレームに組み込むことが可能であり、組み立ての作業性を向上させることができる。
【００１８】
好ましくは、上記バイアス弾性体としてのコイルスプリングと湿度感応条体が、作動子を挟んで反対側に配置されるとともに左右方向に延びて直線上に配置されている。これによれば、横長の装置本体に対応してこれら構成要素を好適に組み込むことができる。
【００１９】
好ましくは、上記装置本体は上記仕切壁より屋内側に位置する屋内壁を有し、この屋内壁には他の換気口が形成され、この屋内壁と上記仕切壁との間には他の空間が形成され、当該他の空間には他の開閉板が配置され、上記装置本体には、当該他の開閉板に連結された手動操作部材が左右スライド可能に設けられ、この手動操作部材の操作により、当該他の開閉板が上記他の換気口を開閉する。これによれば、湿度感応テープの伸縮に伴う換気通路の開閉に加えて、手動操作でも開閉を行うことができる。
【００２０】
好ましくは、上記装置本体には強制開き操作部材が回動可能に設けられ、この強制開き操作部材には、上記作動子を強制的に開き位置に移動させるカムが取り付けられている。これによれば、湿度感応テープの伸びに伴う換気通路の閉じ状態であっても、強制的に換気通路を開くことができる。
【発明の効果】
【００２１】
本発明によれば、雨天の時に開閉部材を閉じ動作させることにより、換気装置の換気通路から雨水が屋内に入り込むのを阻止することができる。
【発明を実施するための最良の形態】
【００２２】
以下、本発明の第１実施形態をなす換気装置を、図１〜図５を参照しながら説明する。この換気装置は、床下換気に用いるものであり布基礎の開口を塞ぐようにして布基礎に設置されている。図１に示すように、換気装置は、横長の矩形をなすフレーム１０（本体）を有している。
【００２３】
図２に示すように、このフレーム１０の内部空間は屋外と床下空間（屋内）に開口して両者を連ねており、換気通路１１として提供される。
上記換気通路１１には床下空間寄りの位置に、左右に水平に延びる複数の羽根１２（開閉部材）が縦に並んで配置されている。これら羽根１２の一端は、フレーム１０の一方の側壁（図１における左側壁）に軸１３を介して回動可能に支持され、その他端は、フレーム１０の他方の側壁（図１における右側壁）に形成された凸部１４に、軸１３を介して回転可能に支持されている。羽根１２は、図２に示すように垂直姿勢の時に互いに接して換気通路１１を閉じ、水平姿勢の時に換気通路１１を最大限に開くようになっている（開き位置）。
【００２４】
上記羽根１２は、湿度感応型アクチュエータ１により開閉動作されるようになっている。このアクチュエータ１は、第１、第２の２つのユニット２０，３０を有している。以下、羽根１２とアクチュエータ１との関係について説明する。
【００２５】
図２に示すように、羽根１２の一端部（図１における右端部）の屋外側の面にはブラケット１５が固定されており、これらブラケット１５には、軸１６を介してＥ字形状のリンク１７が回動可能に連結されている。リンク１７には屋内外方向に水平に延びる溝１７ａが形成されており、この溝１７ａに、ユニット２０の作動ピン２２ａが嵌っている。この作動ピン２２ａは上下方向に移動するようになっている。図２に示すように作動ピン２２ａが最上位の位置にある時に羽根１２が閉じられる。作動ピン２２ａがこの最上位位置から下方に移動すると、リンク１７は屋外側へ変位しつつ下方へ移動し、これにより羽根１２の開き動作を行うようになっている。
【００２６】
図１に示すように、ユニット２０はフレーム１０内において、その右側壁に隣接して収容固定されており、上記凸部１４より屋外側に配置されている。ユニット２０は縦長のケース２１を有している。このケース２１の屋外寄りの部位は換気通路１１に向かって突出しており、この凸部２１ａにより、上記羽根１２のブラケット１５やリンク１７を屋外から隠すようになっている。
【００２７】
図４、図５に示すように、上記ケース２１内には、縦長の作動子２２が収容されている。この作動子２２はスライド部（図示しない）を有し、このスライド部が、ケース２１に形成された垂直に延びる作動子ガイド２３に嵌り垂直方向にスライドするようになっている。スライド部と作動子ガイド２２は、一方が凸で他方が凹となっている。
図５に示すように、ケース２１内部には、上記作動子２２を所定の移動範囲を許容するようにして上下に挟むストッパ２９ａ，２９ｂが形成されている。羽根１２が閉じ位置にある時、作動子２２の上端がストッパ２９ａ（閉じ位置ストッパ手段）に当たり、これにより作動子２２へのさらなる上方への移動（羽根１２のさらなる移動）が禁じられる。また、羽根１２が開き位置にある時、作動子２２の下端がストッパ２９ｂ（開き位置ストッパ手段）に当たり、これにより作動子２２のさらなる下方への移動（羽根１２のさらなる移動）が禁じられる。
【００２８】
図３に示すように、ケース２１の換気通路１１に臨む壁には縦長のスリット２１ｂが形成されている。上記作動子２２の中央には前述した作動ピン２２ａが設けられ、この作動ピン２２ａは上記スリット２１ｂを通って上記リンク１７の溝１７ａに入り込んでいる。
【００２９】
図５に示すように、上記作動子２２は、引張コイルスプリング２４（バイアス弾性体）により上方に付勢されるとともに、湿度感応テープ２５（湿度感応条体）により、上方への移動を抑止されている。
【００３０】
上記コイルスプリング２４は作動子２２と平行をなして上下に延びており、ケース２１内において作動子２２より屋内側に配置されている。コイルスプリング２４の上端は、ケース２１に取り付けられたピン２６に引っ掛けられ、下端は作動子２２の下端部に突出して設けられた係止部２２ｂに引っ掛けられており、作動子２２を上方に付勢している。
なお、上記ピン２６はケース２１に縦に並んで形成された複数の取付穴２１ｃの一つに嵌めこまれており、この取付穴２１ｃを選択することにより、コイルスプリング２４の弾性力を調節できるようになっている。
【００３１】
上記テープ２５は、例えばポリアミド（商品名ナイロン）等の樹脂繊維の布を帯状にしたものであり、湿度に応じて伸縮するようになっている。
図４、図５に示すように、上記テープ２５の一端２５ａはリング形状をなして、作動子２２の上端部に固定された連結ピン２７に掛けられている。テープ２５はこの連結端２５ａから下方にほぼ垂直に延び、ケース２１の下端部に固定されたガイドピン２８（ガイド）に掛けられることにより、水平に延び方向を変えてケース２１の下端から導出されている。
【００３２】
図１，図２に示すように、ユニット３０は左右に延びる細長い形状をなし、フレーム１０内において、上記羽根１２より屋外側に配置されている。ユニット３０は、断面逆Ｕ字形をなす横長のカバー３１を有し、このカバー３１は、その両端部に設けられた樹脂製の支持ブロック３２を介してフレーム１０の底壁に固定されている。
上記カバー３１の内部空間は、両端に開口する連通口３１ａを介して屋外の大気に連なっている。カバー３１の屋外側の壁の下縁には、左右のブロック３２間において排水口３１ｂが形成されている。
【００３３】
上記カバー３１の内部空間には、引張コイルスプリング３９（過負荷吸収弾性体）が収容されるとともに、上述したテープ２５が複数回数折り返された状態で収容されている。詳述すると、カバー３１の左右端部には、それぞれ屋内外方向に水平に延びる複数のガイドピン３３（ガイド）が上下に並んで配置されており、上記テープ２５はこれら左右のピン３３に交互に掛けられて複数回折り返されている。これにより上記テープ２５は略水平に延びる複数の部位を上下に並べるように配置されている。
上記テープ２５の他端部２５ｂは、連結部材３０１および止め輪を介して上記コイルスプリング３９の一端に連結され、このコイルスプリング３９の他端は、ブロック３２（ひいてはフレーム１０）に連結されている。
【００３４】
上記連結部材３０１はカバー３１の上壁に形成された左右方向に細長い穴３０２に左右方向の移動を可能にして挿入されている。この連結部材３０１が穴３０２の左端３０２ａ（連結部材用ストッパ手段）に当たることにより、連結部材３０１の移動が禁じられている。
上記コイルスプリング３９の弾性力は、連結部材３０１が穴３０２の左端３０２ａに係止した状態において、コイルスプリング２４の弾性力（厳密には後述するように羽根１２が開き位置にある状態でのコイルスプリング２４の弾性力、すなわちコイルスプリング２４の弾性力の最大値）より大きい。
【００３５】
テープ２５は、左側の最下段のガイドピン３３で折り返されて、右方向にほぼ水平に引き出され、作動ユニット２０のガイドピン２８へと延びている。
上記ユニット２０のガイドピン２８およびユニット３０のガイドピン３３にはそれぞれカラー２８ａ，３３ａが装着されており、これによりガイドピン２８，３３に対するテープ２５の移動が円滑になっている。
【００３６】
上記構成の床下換気装置において、コイルスプリング２４が作動子２２を上方に付勢し、テープ２５が作動子２２の上方への移動を抑止している。換言すれば、コイルスプリング２４は作動子２２を介してテープ２５を引っ張っている。
テープ２５はカバー３１の左右の連通口３１ａを介して屋外の大気に連なっており、この大気の湿度に応じて伸縮する。その結果、屋外大気の湿度に応じて作動子の位置が変わり、羽根１２の開度調節を行うことができる。
【００３７】
上記作用をより具体的に説明する。晴れていて屋外の湿度が低い日には、テープ２５は縮んでおり、コイルスプリング２４に抗して作動子２２を下方のストッパ２９ｂに当たるまで移動させており、これにより、羽根１２はほぼ水平をなしていて換気通路１１を開いている。
なお、非常に乾燥している場合には、テープ２５はさらに縮み作動子２２がストッパ２９ｂに強い力で当たりテープ２５の張力が急激に増大するおそれがある。しかし本実施形態では、テープ２５がさらに縮んでその収縮力がコイルスプリング３９の弾性力を上回った時に、連結部材３０１が穴３０２の左端３０２ａから離れて右方向に移動することによりテープ２５の収縮を吸収できるため、テープ２５に過大な張力が生じるのを防止できる。この際、作動子２２がストッパ２９ｂに当たった状態は維持されており、羽根１２の開き位置は維持される。
【００３８】
雨の日には、カバー３１の連通口３１ａから入り込んだ湿気や雨水がテープ２５に触れてテープ２５が伸びるので、作動子２２はコイルスプリング２４の力で上方へ移動してストッパ２９ａに当たる。これにより羽根１２が垂直姿勢となり換気通路１１を閉じる。その結果、雨水や湿気が換気通路１１を介して床下空間に入り込むのを防止することができる。
【００３９】
上記雨の日の閉じ動作を含む通常の開閉動作において、コイルスプリング３９はコイルスプリング２４に比べて弾性力が大きいので、連結部材３０１が穴３０２の左端３０２ａに当たった状態を維持される。その結果、上記テープ２５の伸縮量をそのまま作動子２２の上方への移動量に反映させることができ、羽根１２の開閉動作を確実に行うことができる。
【００４０】
カバー３１に入り込んだ雨水は、カバー３１の排水口３１ｂから排出され、フレーム１０の傾斜した底面に沿って屋外へ流れ出る。そのため、天気が回復した時には、テープ２５は直ぐに乾いて縮むことができ、換気を再開することができる。
【００４１】
上記テープ２５は、折り返して複数層をなしており、カバー３１の複数倍の長さを有しているため、湿度の相違による伸縮量を大きくすることができ、作動子２２の必要とされる移動ストロークを確保することができる。
カバー３１はテープ２５を紫外線から守りその劣化を防止することができる。
また、本実施形態では、羽根１２を開閉動作させるアクチュエータ１を２つのユニット２０，３０により構成したので、これらをフレーム１０に取り付けることにより、簡単に組み立てることができる。
【００４２】
なお、第１実施形態において、過負荷吸収弾性体としてコイルスプリング３９の代わりに密着長のコイルスプリングを用いてもよい。密着長のコイルスプリングとは、隣接する１巻き分のコイル部が互いに密着した状態のスプリングを意味する。この場合、コイルスプリングの初張力（ひずみに比例して張力が増大する状態になる前の張力）は、羽根１２が開き位置にある状態でのコイルスプリング２４の弾性力より大きい。このような密着長のコイルスプリングを用いる場合には、連結部材３００および長穴３０１は不要である。作動子２２がストッパ２９ｂに当たり羽根１２が開き位置になった後にさらなるテープ２５の収縮が生じ、その収縮力が密着長コイルスプリングの初張力を超えたときには、このコイルスプリングが伸びてテープの２５の収縮を吸収する。この実施例は、図１のコイルスプリング３９を密着長コイルスプリングに置き換えることにより、当業者が容易に実施できるので、図示を省略する。
【００４３】
上記の密着長のコイルスプリング（連結部材用弾性体）を用いる場合には、このコイルスプリングを作動子２２とテープ２５との間に介在させてもよい。第１実施形態に適用すれば、ケース２１内に収容することもできる。
上記第１実施形態において、開き位置ストッパ手段と閉じ位置ストッパ手段は、羽根１２の開き位置、閉じ位置で羽根に直接係止するものでもよく、リンク１７の上下端をそれぞれ係止して、これにより羽根１２の回動を規制し開き位置と閉じ位置を設定するものでもよい。
【００４４】
次に、本発明の他の実施形態について図を参照しながら説明する。これら実施形態において先行する実施形態に対応する構成部には同番号ないしは類似番号を付してその詳細な説明を省略する。
【００４５】
図６は、本発明の第２の実施形態をなす床下換気用の換気装置を示す。この換気装置では、アクチュエータ１Ａのユニット３０Ａは、縦長をなしてユニット２０に隣接して配置されている。ユニット３０Ａのカバー３１内にテープ２５が上下に折り返されるようにして収容されている。すなわち、テープ２５は上下に延びる複数の部位を左右に並べるようにして収容されている。上記カバー３１の上下端の開口３１ａが屋外の湿気や雨水を導入する連通口となり、下端開口３１ａが排水口となる。
【００４６】
図６に示すように、カバー３１の右下隅にはガイドピン３５が設けられており、テープ２５はこのガイドピン３５に掛けられることにより、その延び方向を垂直方向から水平方向に変換され、ユニット２０の下端のガイドピン２８へと延びている。
上記第２実施形態において、ユニット２０のケース２１と、ユニット３０Ａのカバー３１は互いに連結され、１つのユニットを構成している。
上記第２実施形態において、第１実施形態と同様に過負荷吸収弾性体としてのコイルスプリング３９を用いてもよい。その場合、コイルスプリング３９はカバー３１内に縦に収容される。ストッパ手段を含む他の構成および基本的作用は第１実施形態と同様である。
【００４７】
次に本発明の第３実施形態をなすガラリ型換気装置について図７〜図１０を参照しながら説明する。この換気装置は、屋根近傍の妻面に設置される。図７（Ａ）に示すように、換気装置の装置本体４０は、矩形をなすフレーム４１と、このフレーム４１にはめ込まれたガラリ部４２とを備えている。
【００４８】
図８Ａに示すように、ガラリ部４２はフレーム４１内において屋内寄りに位置している。ガラリ部４２は、左右方向に水平に延びるルーバー４３を上下に間隔をおいて並べることにより構成されている。これらルーバー４３間に左右方向に細長い複数の換気通路４４が形成されている。この換気通路４４の屋内側の部位は屋外側の部位より高くなっており、図８Ａにおいて実線矢印で示すような空気の流れが生じるようになっている。
【００４９】
上記ガラリ部４２の屋内側の面は、垂直平面をなしており、この面に開閉板４５（開閉部材）が上下方向にスライド可能に接している。この開閉板４５は図７（Ｂ）に示すように横長の多数の通気口４５ａを有している。これら通気口４５ａはガラリ部４２の換気通路４４に対応しており、図８Ａに示すように両者が一致したときに全開となり、図８Ａの状態から開閉板４２が上方に移動して両者が不一致となった時に、換気通路４４が閉じられる。
【００５０】
図７（Ａ），図８Ａに示すように、フレーム４０内においてガラリ部４１より屋外側には縦長のアクチュエータ５０が配置されている。このアクチュエータ５０は、１つのユニットからなり、ガラリ部４２の屋外側の面に、その幅方向中央に位置するようにして固定されている。
【００５１】
アクチュエータ５０は、横断面コ字形をなす縦長のカバー５１と、このカバー５１の上下端部にそれぞれ収容固定された小ケース５２および支持ブロック５３と、カバー５１内に上下方向にスライド可能に収容された作動子５４と、この作動子５４を付勢する圧縮コイルスプリング５５（バイアス弾性体）と、湿度感応テープ５６（湿度感応条体）と、引張コイルスプリング５０ｘ（過負荷吸収弾性体）とを備えている。
【００５２】
上記作動子５４は、上記開閉板４５に板状の連結部材４６を介して連結されている。この連結部材４６は、ガラリ部４２に形成されたスリット４２ａ（図８Ａ参照）に上下の遊びを有して貫通している。その結果、開閉板４５は作動子５４に連動して上下動するようになっている。
【００５３】
上記作動子５４には垂直ロッド５７の下端が固定されている。この垂直ロッド５７は作動子５４から上方に延び、上記小ケース５２をスライド可能に貫通している。
上記コイルスプリング５５は垂直ロッド５７に巻かれた状態で小ケース５２内に収容されており、垂直ロッド５７の鍔部５７ａと小ケース５２の底壁５２ｂとの間に配置されている。このコイルスプリング５５の弾性力により垂直ロッド５７が上方に付勢され、ひいては作動子５４、開閉板４５が上方に付勢されている。
上記開閉板４５が閉じ位置にある時、上記作動子５４の一部をなす垂直ロッド５７の上端が、小ケース５２の上端に固定されたピン５２ａ（閉じ位置ストッパ手段）に係止される。また、開閉板４５が開き位置にある時、上記垂直ロッド５７の鍔部５７ａがコイルスプリング５５を介して小ケース５２の底壁５２ｂ（開き位置ストッパ手段）に係止される。
【００５４】
上記コイルスプリング５０ｘおよびテープ５６は、カバー５１内において支持ブロック５３と作動子５４との間に形成された収容空間５１ａに収容されている。テープ５６の一端５６ａは作動子５４の下端部に連結ピン５８ａを介して連結され、他端部５６ｂは止め輪４０１（連結部材）を介してコイルスプリング５０ｘの一端に連結され、このコイルスプリング５０ｘの他端はカバー５１（ひいてはフレーム４０）に連結ピン５８ｂを介して連結されている。テープ５６は、その中間部で、支持ブロック５３に固定されたガイドピン５９に掛けられて折り返され、２つ折りをなしてほぼ垂直に配置されている。なお、このガイドピン５９にもカラー５９ａが装着されている。
上記のようにして、上記作動子５４、コイルスプリング５５、５０ｘ、止め輪４０１、テープ５６が上下方向に延びる直線上に配置された状態でカバー５１に収容されている。
【００５５】
上記カバー５１の側壁には上下に延びる穴４０２が形成されており、この穴４０２に止め輪４０１の突出部が上下移動可能に挿入されている。止め輪４０１が穴４０２の上端４０２ａ（連結部材用ストッパ手段）に係止している状態でのコイルスプリング５０ｘの弾性力は、開閉板４５が開き位置にある時のコイルスプリング５５の弾性力より大きい。
【００５６】
上記カバー５１の屋外側の壁には、切り起こし部５１ｂが形成されており、この切り起こし部５１ｂは屋外と収容空間５１ａを連通させる連通口５１ｘを有している。この切り起こし部５１ｂは上向きをなし、雨水を連通口５１ｘに導入しやすい形状となっている。なお、収容空間５１ａの下端部には、カバー５１とガラリ部５２との間に形成された排水口５１ｃが形成されている。
【００５７】
上記構成をなすガラリ型換気装置の作用を説明する。図８Ａに示すように、晴天の場合には湿度が低いのでテープ５６は縮んでおり、作動子５４は下方位置にあり、開閉板４５の通気口４５ａが換気通路４４と合致した全開状態となっている。乾燥している状態では、作動子５４が最下位位置で係止され、開閉板４５の開き位置が維持され開閉板４５のさらなる下方への移動が禁じられる。テープ５６がさらに収縮し、その収縮力がコイルスプリング５０ｘの弾性力を超えると、コイルスプリング５０ｘが伸び（弾性変形）、止め輪４０１が穴４０２の上端４０２ａから離れて下方に移動するため、テープ５６の収縮を吸収する。
【００５８】
雨天の場合には、雨水が切り起こし部５１ｂの導入口５１ｘから入り込み、テープ５６を濡らすため、テープ５６が伸び、その結果、コイルスプリング５５の力で開閉板４２が上方に移動して換気通路４４を閉じる。なお、この雨水は排水口５１ｃから排水される。この雨天の際には止め輪４０１が穴４０２の上端４０２ａに係止されたまま維持されるので、テープ２５の伸び量はそのまま作動子５４の移動量（ひいては開閉板４５の移動量）に反映され、確実に開閉板４５の閉じ動作を行うことができる。
【００５９】
図８Ｂは上記第３実施形態の変形例を示す。この実施形態では、テープ５６の他端部５６ｂはコイルスプリング５０ｘを介さずにカバー５１（ひいてはフレーム４０）に連結ピン５８ｂを介して連結されている。その代わりに、テープ５６の折り返し部を支持する支持ブロック５３ｘ（支持体）をカバー５１内で上下移動可能にし、この支持ブロック５３ｘとカバー５１の下端との間にコイルスプリング５０ｘを配置する。
【００６０】
さらにカバー５１にはストッパ４０５（支持体用ストッパ手段）が固定されており、開閉板４５が開き位置にある時の支持ブロック５３ｘの下方への移動を禁じ、ひいては開閉板４５が開き位置からさらに下方に移動するのを禁じている。
支持ブロック５３ｘがストッパ４０５に係止している状態でのコイルスプリング５０ｘの弾性力は、開閉板４５が開き位置にある時のコイルスプリング５５の弾性力より大きい。
【００６１】
この実施例では、テープ５６の伸縮に伴う開閉動作の際に支持ブロック５３ｘはストッパ４０５に当たって静止しており、開き位置からさらにテープ５６の伸縮があり、テープ５６の収縮力がスプリング５０ｘの弾性力を上回った時にのみ、上方へ移動してテープ５６の収縮を吸収する。他の作用は図８Ａと同様であるので、説明を省略する。
【００６２】
図８Ａ，図８Ｂの実施形態において、コイルスプリング５０ｘの代わりに、密着長のコイルスプリングを用いてもよい。この密着長コイルスプリングの初張力は、開閉板４５が開き位置にある時のコイルスプリング５５の弾性力より大きい。この場合、ストッパ４０５は無くてもよい。
なお、図８Ａ，図８Ｂの実施形態において、コイルスプリング５０ｘを省いてもよい。この場合、図８Ａではテープ５６の端部５６ｂはピン５８ｂ（本体側）に連結され、図８Ｂでは支持ブロック５３ｘはカバー５１に固定される。
【００６３】
次に、本発明の第４実施形態をなすガラリ型換気装置について図１１、図１２を参照しながら説明する。この実施形態の換気装置では、ガラリ部４２が左右に分かれており、左右ガラリ部４２間に、縦長のアクチュエータ５０Ａが配置されている。このアクチュエータ５０Ａの作動子５４は、開閉板４５に直接固定されている。アクチュエータ５０Ａのカバー５１Ａは、ガラリ部４２のルーバー４３の端に固定される一対の側板５１Ａ１，５１Ａ１（側壁）と、屋外側に配置された板５１Ａ２（屋外側の壁）とを有している。
第４実施形態の他の構成および基本的作用は第３実施形態と同様である。
【００６４】
次に、本発明の第５実施形態をなすサッシ戸装着型の換気装置について、図１３〜図１７を参照しながら説明する。この換気装置は、横長の本体６０を備えている。この本体６０は、屋内側型材６１と屋外側型材６２とを、断熱材からなる中間型材６３を介して連結し、これら型材６１〜６３の両端にキャップ６４を組み付け、屋外側型材６２に型材からなる仕切板６５（仕切壁）を組み込むことにより、基本構造をなしている。
上記型材６１，６２の上端の起立壁をサッシ戸の上框に差し込み、型材６１，６２の下端の垂下壁間にガラスの上縁部を差し込むことにより、換気装置はサッシ戸に装着されるようになっている。
【００６５】
上記型材６１の屋内に臨む壁、型材６２の屋内側の壁、および型材６３には、同一形状の多数の第１換気口６６が左右に並んで形成されている。また、仕切板６５にも多数の第２換気口６５ａが左右に等間隔で並んで形成されている。本実施形態では、第２換気口６５ａは第１換気口６６より下に位置している。
【００６６】
屋内側型材６１には上記第１換気口６６を覆うフィルタ７１が装着されている。また、屋外側型材６２には、上記仕切板６５より屋外側に横長の板状のカバー７２が装着されている。このカバー７２には、その上部において多数の連通口７２ａが左右に並んで形成され、下部には、多数の排水口７２ｂが左右に並んで形成されている。
【００６７】
上記構成により、本体６０内には、フィルタ７１から換気口６６，６５ａを経て連通口７２ａに至る換気通路７０が形成されている。図１４（Ａ）の矢印参照。
また、本体６０の内部は、屋外側型枠６２において換気口６６を形成した壁（屋内壁）と仕切板６５との間に形成された第１空間７５と、仕切板６５とカバー７２との間に形成された第２空間７６とに仕切られている。
上記第１換気口６６は第１開閉板８１により開閉され、第２換気口６５ａは第２開閉板８２（開閉部材）により開閉されるようになっている。
【００６８】
上記第１開閉板８１は第１空間７５に配置され、屋外側型材６２の上壁に長手方向スライド可能かつ揺動可能に支持されている。第１空間７５にはカム部材８３も配置されており、このカム部材８３の上面には上から見て傾斜したカム溝が形成されている。第１開閉板８１の下端には突起８１ａが形成されており、この突起８１ａが上記カム溝に入り込んでいる。
【００６９】
上記第１開閉板８１は、屋内側型材６１に長手方向スライド可能に設けた手動操作部材８４（図１３参照）に連結されている。具体的には第１開閉板８１に形成された穴に手動操作部材８４が挿入されている。第１開閉板８１は、操作部材８４を開き位置、閉じ位置間でスライドさせた時に、これに追随して同方向にスライドし、同時にカム部材８３によるカム作用により、図１４に示すように換気口６６から離れた開き位置と、換気口６６を形成した壁に接する閉じ位置との間で揺動するようになっている。この第１開閉板８１の開閉機構は周知である。
【００７０】
上記第２開閉板８２は、上記仕切板６５の屋外側の面に接するようにして左右方向にスライド可能に配置されており、上記第２換気口６５ａに対応して多数の通気口８２ａを有している。この通気口８２ａが第２換気口６５ａと一致した時に開き状態となり、不一致の時に閉じ状態となる。
【００７１】
上記第２開閉板８２は、第２空間７６に収容された湿度感応型アクチュエータ９０により湿度に応じて自動的に開閉動作されるようになっている。このアクチュエータ９０は、作動子９１と、コイルスプリング９２と湿度感応テープ９３（湿度感応条体）とを有している。作動子９１は第２開閉板８２に固定されている。
【００７２】
上記コイルスプリング９２は引張コイルスプリングからなり、一端が作動子８１に連結され、他端が仕切板６５に固定されたサポート９４に連結されており、作動子８１を屋内側から見て右方向に付勢している。
【００７３】
上記テープ９３の一端は作動子９１にリング９５を介して連結され、他端は仕切板６５に固定されたサポート９６にリング９７を介して連結されている。また、テープ９３の中間部は、リング９８の真直部に掛けられて折り返されている。このリング９８も、仕切板６５に固定されたサポート９９に連結されている。
上記コイルスプリング９２、テープ９３は作動子９１を挟んで左右方向に延び、作動子９１とともに一直線上に配置されている。
【００７４】
上記仕切板６５は、第２空間７６に突出して左右方向に延びる上下一対の突条を有し、この突条には２つの溝６５ｘ，６５ｙ（図１４（Ａ）参照）が形成されている。上下突条における屋内側の溝６５ｘには上記第２開閉板８２がスライド可能に支持されており、屋外側の溝６５ｙには上記サポート９４，９６，９９の上下端部が挿入固定されている。これにより、アクチュエータ９０は、仕切板６５、第２開閉板８２と一緒にユニット化されている。
【００７５】
上記第２開閉板８２は、手動操作により強制的に開くことができる。詳述すると、上記作動子９１は右方向に延びる延長部９１ａを有している。他方、本体１０には強制開き操作部材１００が回動可能に取り付けられている。この操作部材１００は一端部が屋内に露出し、型材６１〜６３および仕切板６５を貫通して他端部が第２空間７６に達しており、この他端部にカム１０１が固定されている。
【００７６】
上記構成をなす第５実施形態の作用を説明する。晴天の時には図１５に示すようにテープ９３が縮んでおり、第２開閉板８２は最も左に位置しており、これにより、第２開閉板８２の通気口８２ａが仕切板６５の第２換気口６５ａと一致し、この第２換気口６５ａを開き状態にする。この状態では、手動操作部材８４による第１開閉板８１の開閉動作で換気通路６６の開閉が決まる。
【００７７】
雨天の時に雨水が換気装置に降りかかると、雨水はカバー７２の連通口７２ａから入り込み、テープ９３を濡らす。これにより，図１６に示すようにテープ９３が伸び、コイルスプリング９２の力で第２開閉板８２が右方向に移動し、その通気口８２ａが第２換気口６５ａと不一致となるため、第２換気口６５ａが閉じられる。この状態では、手動操作部材８４による第１開閉板８１の開閉動作の如何に拘わらず、換気通路６６は閉じられる。その結果、換気通路６６を介して雨水が屋内に入り込むのを防止できる。
第２空間７６に入り込んだ雨水は排水口７２ｂから排出される。
【００７８】
上述したように屋外が高湿度の時に、第２開閉板８２の閉じ動作が自動的に行われるが、屋内が煙等によって空気質が悪くなった場合には、屋外の湿度の高低に拘わらず換気を行って屋内の煙等を逃がすことが求められることがある。このような場合には、図１７に示すように、操作部材１００を回してカム１０１を作動子９１の延長部９１ａに当て、作動子９１を強制的に左方向へ移動させて、開閉板８２の開き動作を行う。
【００７９】
図１８に示す第６実施形態では、湿度感応テープ９３Ａは折り返しではなく、ループ形状をなしており、その一端がリング９５を介して作動子９１に連結され、他端がリング９８、サポート９９を介して仕切板６５に連結されている。他の構成および基本的作用は第５実施形態と同様である。
【００８０】
図１９は、第５、第６実施形態におけるリング９５，９７，９８と作動子９１やサポート９６，９９との連結構造の改良に関する。ここでは、リング９５の取り付け端部が作動子９１やサポート９６，９９にスナップ止めされる。
【００８１】
図２０は、本発明の第７実施形態を示す。この実施形態は第５実施形態と似た構成であり、異なる点のみを説明する。開閉板８２には、その一端（図２０（Ｂ）の左端）の近傍において係止穴８２ｘが形成されている。他方、仕切板６５に固定されたサポート９９には凸部９９ａが形成され、この凸部９９ａが、上記開閉板８２の係止穴８２ｘに左右方向の遊びを介して入り込んでいる。この凸部９９ａの左側面９９ｘ（閉じ位置ストッパ手段）は、開閉板８２が閉じ位置にある時、係止穴８２ｘの左縁を係止する。また、この凸部９９ａの右側面９９ｙ（開き位置ストッパ手段）は、開閉板８２が開き位置にある時、係止穴８２ｘの右縁を係止する。
【００８２】
テープ９３の一端は作動子９１に連結され、その他端は、連結部材５００および止め輪を介して引張コイルスプリング２００の一端に連結される。コイルスプリング２００の他端はサポート９６（ひいては仕切板６５）に連結されている。他方、仕切板６５の上側の突条には切欠５０１が形成されており、この切欠５０１に上記連結部材５００の上方に突出した凸部が左右方向の遊びを有して入り込んでいる。
連結部５００が切欠５０１の左端５０１ａ（連結部材用ストッパ手段）に当たっている時のコイルスプリング２００の弾性力は、開閉板８２が開き位置にある時のコイルスプリング９２の弾性力より大きい。したがって、テープ９３の伸縮に伴う開閉動作は第５実施形態と同様である。
【００８３】
上記開閉板８２が開き状態にあり、サポート９９の凸部９９ａが開閉板８２の右側面９９ｙが係止穴８２ｘの右端を係止した状態において、さらにテープ９３が収縮してその収縮力がコイルスプリング２００の弾性力を超えると、コイルスプリング２００が伸び、連結部材５００が切欠５０１の端５０１ａから離れて図２０（Ａ）における右方向に移動し、テープ９３の収縮量を吸収する。
【００８４】
上記コイルスプリング２００の代わりに、密着長のコイルスプリングを用いてもよい。この場合、このコイルスプリングの初張力は、開閉板８２が開き位置にある時のコイルスプリング９２の弾性力より大きい。この場合、切欠５０１は無くてもよい。
【００８５】
図１３から図１７に示す上記第５実施形態において、テープ９３の折り返し部を支持するサポート９９（支持体）を左右方向に移動可能にし、このサポート９９と仕切板６５の端部との間にコイルスプリング２００を掛けるようにしてもよい。この場合、図８Ｂの実施形態と同様の作用となる。開き位置ストッパ手段、閉じ位置ストッパ手段、支持体用ストッパ手段は適宜位置に設ける。
同様にして、図１８の実施形態においても、サポート９９を左右方向に移動可能にし、このサポート９９と仕切板６５の左端部との間にコイルスプリング２００を掛けるようにしてもよい。
全ての実施形態において、過負荷吸収弾性体として密着長の引張コイルスプリングを用いる場合、このスプリングは作動子とテープとの間に介在させてもよい。
【００８６】
本発明は上記実施形態に制約されず、種々の形態を採用可能である。上記実施形態では湿度感応条体としてテープを用いたが紐であってもよい。作動子は実施形態のように直線的に移動する代わりに回動してもよい。また、バイアス弾性体および過負荷吸収弾性体は、引張又は圧縮のコイルスプリングのみならず、細長いゴム、板バネ、つるまきバネ等であってもよい。
さらに、湿度感応条体の材料は、ポリアミド樹脂に限らず湿度に応じて伸縮する他の樹脂材料または他の材料であってもよい。
湿度感応条体を紫外線カットコーティングしてもよい。
【図面の簡単な説明】
【００８７】
【図１】本発明の第１実施形態をなす床下換気装置を、一部断面にして屋外側から見た正面図である。
【図２】図１におけるII―II線に沿う縦断面図である、
【図３】同床下換気装置に用いられるアクチュエータを、図１においてIII方向から見た側面図である。
【図４】図３においてIV-IV線に沿うアクチュエータの縦断面図である。
【図５】図１におけるＶ−Ｖ線に沿うアクチュエータの拡大断面図であり、（Ａ）は閉じ動作時、（Ｂ）は開き動作時の状態をそれぞれ示す。
【図６】本発明の第２実施形態をなす床下換気装置を、一部断面にして屋外側から見た正面図である。
【図７】本発明の第３実施形態をなすガラリ型換気装置を示すもので、（Ａ）は屋外から見た正面図であり、（Ｂ）は屋内から見た背面図である。
【図８Ａ】図７（Ａ）におけるVIII-VIII線に沿う縦断面図である。
【図８Ｂ】同第３実施形態の一部を変更した例を示す図８Ａ相当図である。
【図９】図７（Ａ）におけるIX-IX線に沿う横断面図である。
【図１０】図８ＡにおけるＸ−Ｘ線に沿う縦断面図である。
【図１１】本発明の第４実施形態をなすガラリ型換気装置を、一部断面にして屋外側から見た正面図である。
【図１２】図１１におけるXII-XII線に沿う横断面図である。
【図１３】本発明の第５実施形態をなすサッシ戸装着型の換気装置を屋内側から見た正面図である。
【図１４】同換気装置の縦断面図であり、（Ａ），（Ｂ），（Ｃ）はそれぞれ図１３におけるＡ−Ａ線、Ｂ−Ｂ線、Ｃ−Ｃ線に沿う断面図である。
【図１５】同実施形態における開き状態の換気装置を示し、（Ａ）はカバーを取り外して示す要部拡大背面図であり、（Ｂ）は要部拡大平断面図である。
【図１６】同実施形態における閉じ状態の換気装置を示し、（Ａ）はカバーを取り外して示す要部拡大背面図であり、（Ｂ）は要部拡大平断面図である。
【図１７】同実施形態における強制開き状態の換気装置を示し、（Ａ）はカバーを取り外して示す要部拡大背面図であり、（Ｂ）は要部拡大平断面図である。
【図１８】本発明の第６実施形態をなすサッシ戸装着型の換気装置を示すもので、（Ａ），（Ｂ）はそれぞれ図１５（Ａ），（Ｂ）に相当する。
【図１９】湿度感応テープの連結構造の他の態様を示す平断面図である。
【図２０】本発明の第６実施形態をなすサッシ戸装着型の換気装置を示すもので、（Ａ）はカバーを取り外して示す要部拡大背面図であり、（Ｂ）は要部拡大平断面図である。
【符号の説明】
【００８８】
１０  フレーム（本体）
１１  換気通路
１２  羽根（開閉部材）
１７  リンク
２２  作動子
２４  コイルスプリング
２５  湿度感応テープ（湿度感応条体）
２８、３３  ガイドピン（ガイド）
２９ａ  ストッパ（閉じ位置ストッパ手段）
２９ｂ  ストッパ（開き位置ストッパ手段）
３１  ケース
３１ａ  連通口
３１ｂ  排水口
３９  コイルスプリング（過負荷吸収スプリング）
４０  装置本体
４１  フレーム
４２  ガラリ部
４４  換気通路
４５  開閉板（開閉部材）
４５ａ  通気口
５０ｘ  コイルスプリング（過負荷吸収スプリング）
５１、５１Ａ  カバー
５２ａ  ピン５２ａ（閉じ位置ストッパ手段）
５２ｂ  小ケースの底壁（開き位置ストッパ手段）
５３ｘ  支持ブロック（支持体）
５４  作動子
５５  圧縮コイルスプリング（バイアス弾性体）
５６  湿度感応テープ（湿度感応条体）
５９  ガイドピン
６０  装置本体
６５  仕切板（仕切壁）
６５ａ  第２換気口
６６  第１換気口
７０  換気通路
７２  カバー
７２ａ  連通口
７２ｂ  排水口
８１  第１開閉板
８４  手動操作部材
８２  第２開閉板（開閉部材）
９１  作動子
９２  引張コイルスプリング（バイアス弾性体）
９３  湿度感応テープ（湿度感応条体）
９９ｘ  サポートの凸部の左側面（閉じ位置ストッパ手段）
９９ｙ  サポートの凸部の右側面（開き位置ストッパ手段）
１００  強制開き操作部材
１０１  カム
２００  コイルスプリング（過負荷吸収スプリング）
３０１  連結部材
３０２ａ  穴の端（連結部材用ストッパ手段）
４０１  止め輪（連結部材）
４０２ａ  穴の端（連結部材用ストッパ手段）
４０５  ストッパ（支持体用ストッパ手段）
５００  連結部材
５０１ａ  切欠の端（連結部材用ストッパ手段）
【図１】
2008134011.tif 000003
【図２】
2008134011.tif 000004
【図３】
2008134011.tif 000005
【図４】
2008134011.tif 000006
【図５】
2008134011.tif 000007
【図６】
2008134011.tif 000008
【図７】
2008134011.tif 000009
【図８Ａ】
2008134011.tif 000010
【図８Ｂ】
2008134011.tif 000011
【図９】
2008134011.tif 000012
【図１０】
2008134011.tif 000013
【図１１】
2008134011.tif 000014
【図１２】
2008134011.tif 000015
【図１３】
2008134011.tif 000016
【図１４】
2008134011.tif 000017
【図１５】
2008134011.tif 000018
【図１６】
2008134011.tif 000019
【図１７】
2008134011.tif 000020
【図１８】
2008134011.tif 000021
【図１９】
2008134011.tif 000022
【図２０】
2008134011.tif 000023